(57)【要約】【課題】オリジナリティやデザイン性の高い印刷結果を提供でき、使用者が遊戯に一層満足できる写真プリント提供装置、写真プリント提供方法、写真プリント提供プログラムおよび印刷媒体を提供する。【解決手段】本発明の写真プリント提供装置は、使用者に対して第１落書き入力手段で撮影画像に対して第１落書き画像を入力させる編集処理（Ｓ９）を実行するとともに、使用者に対して第２落書き入力手段で印刷媒体３５の撮影画像印刷領域２２１ａ，２２１ｂ以外の所定の余白領域２２３ａ，２２３ｂに対して第２落書き画像を入力させる余白編集処理を実行するＣＰＵ１０１ａ等を備える。上記ＣＰＵ１０１ａは、上記編集処理（Ｓ９）によって得られた撮影画像と第１落書き画像との合成画像を印刷媒体３５の撮影画像印刷領域２２１ａ，２２１ｂに印刷するとともに、当該印刷媒体３５の余白領域２２３ａ，２２３ｂに第２落書き画像を印刷して写真プリントとして出力する。【選択図】図４
2005176207.tif 000002
【特許請求の範囲】
【請求項１】
複数の撮影画像を印刷媒体の所定の撮影画像印刷領域に印刷して写真プリントとして出力する印刷手段を備えた写真プリント提供装置であって、
使用者に対して上記撮影画像に対して第１落書き画像を入力させるための第１落書き入力手段と、
使用者に対して上記印刷媒体の撮影画像印刷領域以外の所定の余白領域に対して第２落書き画像を入力させるための第２落書き入力手段と、
使用者に対して上記第１落書き入力手段で上記撮影画像に対して第１落書き画像を入力させる撮影画像編集処理を実行するとともに、使用者に対して上記第２落書き入力手段で上記印刷媒体の撮影画像印刷領域以外の所定の余白領域に対して第２落書き画像を入力させる余白編集処理を実行する制御手段とを備え、
上記印刷手段は、上記撮影画像編集処理によって得られた撮影画像と第１落書き画像との合成画像を印刷媒体の撮影画像印刷領域に印刷するとともに、当該印刷媒体の余白領域に第２落書き画像を印刷して写真プリントとして出力することを特徴とする写真プリント提供装置。
【請求項２】
上記印刷媒体の撮影画像印刷領域以外の所定の余白領域に対して落書き画像を入力させるための余白編集領域および上記撮影画像を表示する表示手段を備え、
上記制御手段は、上記撮影画像編集処理において、撮影画像を表示手段に表示して撮影画像に対する第１落書き画像の入力を使用者に実行させ、上記余白編集処理において、上記余白編集領域を表示手段に表示し余白領域に対する第２落書き画像の入力を使用者に実行させる請求項１記載の写真プリント提供装置。
【請求項３】
上記制御手段は、複数の印刷レイアウトの中からいずれかの印刷レイアウトを選択する印刷レイアウト選択処理を実行し、
上記余白編集処理を上記印刷レイアウト選択処理において選択された印刷レイアウトに基いて上記印刷媒体の撮影画像印刷領域および余白領域を設定した後に実行し、
上記余白編集処理において、使用者に対して設定された余白領域に対して第２落書き画像を入力させる請求項１または２記載の写真プリント提供装置。
【請求項４】
複数の撮影画像を印刷媒体の所定の撮影画像印刷領域に印刷して写真プリントとして出力する写真プリント提供方法であって、
使用者に対して上記撮影画像に対して第１落書き画像を入力させるための第１落書き入力手段と、使用者に対して上記印刷媒体の撮影画像印刷領域以外の所定の余白領域に対して第２落書き画像を入力させるための第２落書き入力手段と、使用者に対して上記第１落書き入力手段で上記撮影画像に対して第１落書き画像を入力させる撮影画像編集処理を実行するとともに、使用者に対して上記第２落書き入力手段で上記印刷媒体の撮影画像印刷領域以外の所定の余白領域に対して第２落書き画像を入力させる余白編集処理を実行する制御手段とを準備し、
上記撮影画像編集処理によって得られた撮影画像と第１落書き画像との合成画像を印刷媒体の撮影画像印刷領域に印刷するとともに、当該印刷媒体の余白領域に第２落書き画像を印刷して写真プリントとして出力することを特徴とする写真プリント提供方法。
【請求項５】
複数の撮影画像を印刷媒体の所定の撮影画像印刷領域に印刷して写真プリントとして出力する印刷手段と、使用者に対して上記撮影画像に対して第１落書き画像を入力させるための第１落書き入力手段と、使用者に対して上記印刷媒体の撮影画像印刷領域以外の所定の余白領域に対して第２落書き画像を入力させるための第２落書き入力手段とを備えた写真プリント提供装置に用いる写真プリント提供プログラムであって、
使用者に対して上記第１落書き入力手段で上記撮影画像に対して第１落書き画像を入力させる撮影画像編集処理を実行するとともに、使用者に対して上記第２落書き入力手段で上記印刷媒体の撮影画像印刷領域以外の所定の余白領域に対して第２落書き画像を入力させる余白編集処理を実行するステップと、
上記撮影画像編集処理によって得られた撮影画像と第１落書き画像との合成画像を印刷媒体の撮影画像印刷領域に印刷するとともに、当該印刷媒体の余白領域に第２落書き画像を印刷して写真プリントとして出力するステップとをコンピュータ装置に実行させることを特徴とする写真プリント提供プログラム。
【請求項６】
複数の撮影画像を印刷媒体の所定の撮影画像印刷領域に印刷して写真プリントとして出力する印刷手段を備えた写真プリント提供装置により生成される印刷媒体であって、
使用者に対して上記撮影画像に対して第１落書き画像を入力させるための第１落書き入力手段と、
使用者に対して上記印刷媒体の撮影画像印刷領域以外の所定の余白領域に対して第２落書き画像を入力させるための第２落書き入力手段と、
使用者に対して上記第１落書き入力手段で上記撮影画像に対して第１落書き画像を入力させる撮影画像編集処理を実行するとともに、使用者に対して上記第２落書き入力手段で上記印刷媒体の撮影画像印刷領域以外の所定の余白領域に対して第２落書き画像を入力させる余白編集処理を実行する制御手段とを備え、
上記印刷手段は、上記撮影画像編集処理によって得られた撮影画像と第１落書き画像との合成画像を印刷媒体の撮影画像印刷領域に印刷するとともに、当該印刷媒体の余白領域に第２落書き画像を印刷して写真プリントとして出力することを特徴とする写真プリント提供装置により生成される印刷媒体。
【発明の詳細な説明】
【技術分野】
【０００１】
本発明は、例えばゲームセンター等に設置され、硬貨等の投入により撮影画像をプリントして販売する写真プリント提供装置、写真プリント提供方法、写真プリント提供プログラムおよび印刷媒体に関するものである。
【背景技術】
【０００２】
近年ゲームセンター等の遊戯を提供する店舗において、写真を撮影して写真プリント等にする写真プリント提供装置が数多く設置されている。このような写真プリント提供装置は、一般に使用者である被写体を撮影手段であるカメラで撮影し、その撮影画像をタブレットディスプレイ等に表示して付属のタッチペンで文字や図形等を入力する編集（いわゆるお絵描き）という機能がついているものが一般的になっている。そして、入力した画像は撮影画像と合成され、その合成画像がプリンタで印刷媒体に印刷され使用者に提供される。このプリントされた印刷媒体の余白には、当該写真プリント提供装置の商品名や発売者側のメッセージやメールアドレスやサイトのＵＲＬ等が記されていることが多い。
【０００３】
このようなものとして、使用者が入力したメッセージを挿入できるような映像プリント遊戯装置が提案されている（例えば、下記の特許文献１参照。）。
【０００４】
また、一般的に、写真プリント提供装置では、複数人でプレイされ、写真プリントが作成された後、その写真プリントをプレイした使用者の人数にあわせてカットし、それぞれの使用者が持ち帰ることが多い。その後、写真プリントは、使用者の友人等と交換されたりすることが多い。しかしながら、このような写真プリント提供装置では、写真レイアウト選択において、プレイする人数にあわせて、分割方法を提示しているが、はさみ等でカットすることで余白部分がなくなり、トータルで見てバランスが悪いものとなっているという問題がある。
【０００５】
そこで、写真シールシートを分割し得る領域を設定し、使用者の好みに応じるため、領域毎に画像を配置する写真シール自動販売機が提案されている（例えば、下記の特許文献２参照。）。特許文献２に示されるような装置では、各使用者が写真プリントをハサミ等で切り分けやすい効果がある。
【０００６】
さらに、写真自動販売機の設置者が設定を行なうためのモードにおいて、情報の入力を受付ける入力手段を備え、入力を受付けた情報を撮影した画像とともに印刷する写真自動販売機が提案されている（例えば、下記の特許文献３参照。）。特許文献３に示されるような装置では、上記余白部分に店舗情報等が印刷でき、宣伝広告の効果がある。
【特許文献１】特開２０００−２４１８６３号公報
【特許文献２】特開２００３−６１０１５号公報
【特許文献３】実用登録第３０９３６６０号公報
【発明の開示】
【発明が解決しようとする課題】
【０００７】
しかしながら、上記特許文献１に示されるような装置は、上記印刷媒体の余白部分に、使用者が入力したメッセージやホームページのアドレス、ＩＤ、パスワード等のコメントを記録するようにしているが、単純なメッセージを入力するだけのものにすぎず、遊戯性に乏しい。また、上記印刷媒体の余白部分は、白色等の単調なものである。すなわち、白地のシートに黒字の単純なフォントをテキスト文字として印刷される程度であるため、写真プリント全体としてオリジナリティやデザイン性に欠けるという問題がある。
【０００８】
また、上記特許文献１に示されるような装置は、シールプリント遊戯と、ホームページを作成しシールにプリントして出力するホームページ作成遊戯とを使用者の選択により提供できる装置であり、予めシール片が１枚づつ剥離できるように製造されたシール紙に、使用者が選択したフレーム画像と使用者の撮影画像を合成して印刷提供するものである。そして、付加的なアイデアとして、上記ホームページ作成遊戯で遊戯した場合に、上記シールプリント遊戯よりも記録するシール片を少なくし、それにより形成された余白部分に、使用者が入力したメッセージ等を印刷させるもので、シート全体をデザイン、装飾するものではなく、単純なフォントをテキスト文字として印刷している程度に過ぎない。また、上記余白部分は、１枚のシートに撮影画像を少なく印刷することにより生成された余白であるため、上記テキスト文字を入力するがために撮影画像が犠牲になり、写真プリント提供装置における本来の楽しみに欠けることになる。
【０００９】
また、上記特許文献１の解決しようとする課題は、装置の配置変えを容易にするなど、装置運営者側の利便性を追求しようとするものであり、使用者の遊戯の興趣を高めるものではない。
【００１０】
また、上記特許文献２に示されるような装置では、各使用者が写真プリントをハサミ等で切り取って公平に分け合うことができるだけであり、作成された写真プリントが１つのデザインとして美しくオリジナリティのあるものではないため、使用者が遊戯に対する興味を失う可能性があるという問題がある。
【００１１】
また、上記特許文献３に示されるような装置では、設置者が上記余白部分に店舗情報等を入力できるようになっているが、依然としてオリジナリティやデザイン性に欠けるという問題がある。
【００１２】
本発明は、このような事情に鑑みなされたもので、オリジナリティやデザイン性の高い印刷結果を提供でき、使用者が遊戯に一層満足できる写真プリント提供装置、写真プリント提供方法、写真プリント提供プログラムおよび印刷媒体の提供を目的とする。
【課題を解決するための手段】
【００１３】
上記目的を達成するため、本発明の写真プリント提供装置は、複数の撮影画像を印刷媒体の所定の撮影画像印刷領域に印刷して写真プリントとして出力する印刷手段を備えた写真プリント提供装置であって、使用者に対して上記撮影画像に対して第１落書き画像を入力させるための第１落書き入力手段と、使用者に対して上記印刷媒体の撮影画像印刷領域以外の所定の余白領域に対して第２落書き画像を入力させるための第２落書き入力手段と、使用者に対して上記第１落書き入力手段で上記撮影画像に対して第１落書き画像を入力させる撮影画像編集処理を実行するとともに、使用者に対して上記第２落書き入力手段で上記印刷媒体の撮影画像印刷領域以外の所定の余白領域に対して第２落書き画像を入力させる余白編集処理を実行する制御手段とを備え、上記印刷手段は、上記撮影画像編集処理によって得られた撮影画像と第１落書き画像との合成画像を印刷媒体の撮影画像印刷領域に印刷するとともに、当該印刷媒体の余白領域に第２落書き画像を印刷して写真プリントとして出力することを要旨とする。
【００１４】
また、上記目的を達成するため、本発明の写真プリント提供方法は、複数の撮影画像を印刷媒体の所定の撮影画像印刷領域に印刷して写真プリントとして出力する写真プリント提供方法であって、使用者に対して上記撮影画像に対して第１落書き画像を入力させるための第１落書き入力手段と、使用者に対して上記印刷媒体の撮影画像印刷領域以外の所定の余白領域に対して第２落書き画像を入力させるための第２落書き入力手段と、使用者に対して上記第１落書き入力手段で上記撮影画像に対して第１落書き画像を入力させる撮影画像編集処理を実行するとともに、使用者に対して上記第２落書き入力手段で上記印刷媒体の撮影画像印刷領域以外の所定の余白領域に対して第２落書き画像を入力させる余白編集処理を実行する制御手段とを準備し、上記撮影画像編集処理によって得られた撮影画像と第１落書き画像との合成画像を印刷媒体の撮影画像印刷領域に印刷するとともに、当該印刷媒体の余白領域に第２落書き画像を印刷して写真プリントとして出力することを要旨とする。
【００１５】
また、上記目的を達成するため、本発明の写真プリント提供プログラムは、複数の撮影画像を印刷媒体の所定の撮影画像印刷領域に印刷して写真プリントとして出力する印刷手段と、使用者に対して上記撮影画像に対して第１落書き画像を入力させるための第１落書き入力手段と、使用者に対して上記印刷媒体の撮影画像印刷領域以外の所定の余白領域に対して第２落書き画像を入力させるための第２落書き入力手段とを備えた写真プリント提供装置に用いる写真プリント提供プログラムであって、使用者に対して上記第１落書き入力手段で上記撮影画像に対して第１落書き画像を入力させる撮影画像編集処理を実行するとともに、使用者に対して上記第２落書き入力手段で上記印刷媒体の撮影画像印刷領域以外の所定の余白領域に対して第２落書き画像を入力させる余白編集処理を実行するステップと、上記撮影画像編集処理によって得られた撮影画像と第１落書き画像との合成画像を印刷媒体の撮影画像印刷領域に印刷するとともに、当該印刷媒体の余白領域に第２落書き画像を印刷して写真プリントとして出力するステップとをコンピュータ装置に実行させることを要旨とする。
【００１６】
また、上記目的を達成するため、本発明の印刷媒体は、複数の撮影画像を印刷媒体の所定の撮影画像印刷領域に印刷して写真プリントとして出力する印刷手段を備えた写真プリント提供装置により生成される印刷媒体であって、使用者に対して上記撮影画像に対して第１落書き画像を入力させるための第１落書き入力手段と、使用者に対して上記印刷媒体の撮影画像印刷領域以外の所定の余白領域に対して第２落書き画像を入力させるための第２落書き入力手段と、使用者に対して上記第１落書き入力手段で上記撮影画像に対して第１落書き画像を入力させる撮影画像編集処理を実行するとともに、使用者に対して上記第２落書き入力手段で上記印刷媒体の撮影画像印刷領域以外の所定の余白領域に対して第２落書き画像を入力させる余白編集処理を実行する制御手段とを備え、上記印刷手段は、上記撮影画像編集処理によって得られた撮影画像と第１落書き画像との合成画像を印刷媒体の撮影画像印刷領域に印刷するとともに、当該印刷媒体の余白領域に第２落書き画像を印刷して写真プリントとして出力することを特徴とする写真プリント提供装置により生成されることを要旨とする。
【発明の効果】
【００１７】
すなわち、本発明によれば、使用者に対して上記第１落書き入力手段で上記撮影画像に対して第１落書き画像を入力させる撮影画像編集処理を実行するとともに、使用者に対して上記第２落書き入力手段で上記印刷媒体の撮影画像印刷領域以外の所定の余白領域に対して第２落書き画像を入力させる余白編集処理を実行する。そして、上記撮影画像編集処理によって得られた撮影画像と第１落書き画像との合成画像を印刷媒体の撮影画像印刷領域に印刷するとともに、当該印刷媒体の余白領域に第２落書き画像を印刷して写真プリントとして出力する。
【００１８】
したがって、使用者は、上記余白編集処理において、上記第２落書き入力手段で上記余白領域に対して第２落書き画像を入力することで、印刷媒体の撮影画像印刷領域に上記合成画像が印刷され、その印刷媒体の余白領域の第２落書き画像が印刷された写真プリントを得ることができる。これにより、使用者は、オリジナリティにあふれる写真プリントを得ることができる。また、例えば、上記第２落書き画像が複数の文字等の画像である場合、使用者は、これらの文字の中から好みのメッセージを上記余白領域に入力することができる。さらに、上記第２落書き画像が複数のフレーム画像やスタンプ画像等の画像である場合、使用者は、これらの画像の中から好みの画像を上記余白領域に入力することができる。これにより、使用者は、写真プリント全体として見て１つのデザインとして美しく、一層オリジナリティにあふれる写真プリントを得ることができる。また、入力する第２落書き画像として、例えば使用者が自分の名前を入力することで誰の写真プリントかを判別できる機能や、メッセージを入力することで他の使用者にメッセージを伝えることができる伝達機能等の機能として写真プリントを機能させることができ、使用者の遊戯に対する満足度が向上する。
【００１９】
本発明において、上記印刷媒体の撮影画像印刷領域以外の所定の余白領域に対して落書き画像を入力させるための余白編集領域および上記撮影画像を表示する表示手段を備え、上記制御手段は、上記撮影画像編集処理において、撮影画像を表示手段に表示して撮影画像に対する第１落書き画像の入力を使用者に実行させ、上記余白編集処理において、上記余白編集領域を表示手段に表示し余白領域に対する第２落書き画像の入力を使用者に実行させる場合には、使用者は、上記余白編集処理において、上記余白領域に対して落書き画像を入力させるための余白編集領域が表示され、上記第２落書き入力手段で上記余白編集領域に上記余白領域に対する第２落書き画像を容易に入力することができるため、オリジナリティにあふれる写真プリントを容易に作成することができる。
【００２０】
本発明において、上記制御手段は、複数の印刷レイアウトの中からいずれかの印刷レイアウトを選択する印刷レイアウト選択処理を実行し、上記余白編集処理を上記印刷レイアウト選択処理において選択された印刷レイアウトに基いて上記印刷媒体の撮影画像印刷領域および余白領域を設定した後に実行し、上記余白編集処理において、使用者に対して設定された余白領域に対して第２落書き画像を入力させる場合には、上記印刷レイアウトが上記印刷レイアウト選択処理で選択されているため、印刷媒体全体のバランスを考慮して印刷媒体をデザインすることができる。
【発明を実施するための最良の形態】
【００２１】
つぎに、本発明を実施するための最良の形態を説明する。
【実施例１】
【００２２】
図ｌは、本実施例における写真プリント提供装置の外観の具体例を示す図である。
【００２３】
この写真プリント提供装置（以下、「本装置」という）は、大きく分けて撮影操作を行なう側の面（撮影プレイ提供部）と、撮影後の画像にタッチペンによる画像やテキスト等の入力である編集操作（いわゆるお絵描き）を行なう側の面（編集プレイ提供部）とを対にして備えている。
【００２４】
また、本装置は、コンピュータ装置１０１、プリンタ１２、および制御部１０２（図４）等の各種機器類を収める筐体１と、筐体１とともに、撮影空間３や編集空間４を形成するパネルとフレーム材とを含む。本装置において、被写体であるユーザ（使用者）６は、上記撮影空間３内に入り、筐体１に相対する向きで撮影を行なう。なお、以降の説明において、便宜上、筐体１の撮影操作側の面を正面とし、編集操作側の面を背面とする。
【００２５】
つぎに、図２を参照して、本装置の筐体１の正面について説明する。
【００２６】
図２に示すように、本装置の筐体１の正面には、カメラ２１と、カメラ２１により撮像される映像をリアルタイムで表示し、ユーザ６に撮像される映像を視角確認させるためのライブモニタ２２と、ＢＧＭや操作方法等を音声で出力（アナウンス）するスピーカ２３Ｌ，２３Ｒと、後述のタブレットディスプレイ２４と、後述の入力手段としての２つのタッチペン７Ｌ，７Ｒと、対価である硬貨を投入するためのコイン投入口２６と、前面のメンテナンス等を行なうためのフロントドア２８とが備えられる。
【００２７】
上記タブレットディスプレイ２４は、ディスプレイにタッチパネルが積層され、複数の撮影画像の中からユーザ６に対して落書き入力させるためのキープ画像（編集用の画像）を選択させる後述のキープ画像選択領域を含むキープ画像選択画面、人数選択画面、デモ画面等の各種画面や、実行されるプレイ方法（コース）の選択などの選択肢を表示するとともに、遊戯に必要な画像を適宜表示し、ユーザ６がタッチペン７Ｌ，７Ｒ等で触れることにより、ユーザ６からの操作を受け付ける表示手段として機能する。
【００２８】
上記タッチペン７Ｌ，７Ｒは、ペン形状の入力装置であって、タブレットディスプレイ２４にタッチすることで、使用する項目（ボタン）の選択、操作の選択等の選択入力や情報の入力を行なうことができる。このタッチペン７Ｌ，７Ｒは、本装置に複数備えられて同時に複数のユーザ６からの入力操作を可能にしている。なお、ユーザ６からの複数の操作を受け付ける操作部（操作ボタン等）を設けてもよい。また、上記タッチパネルが、いわゆるタッチディスプレイのように指での入力操作を受け付ける場合は、タッチペンを設けなくてもよい。
【００２９】
上記タッチペン７Ｌ，７Ｒには、後述のＣＰＵ１０１ａがタブレットディスプレイ２４に対していずれのタッチペンから入力されたかを識別するために、それぞれ識別情報が付加されている。本実施例では、タッチペン７Ｌには、識別情報としてＩＤ＝１、タッチペン７Ｒには識別情報としてＩＤ＝２が割り当てられている。これにより、上記タッチペン７Ｌ，７Ｒは、それぞれ必要に応じてタブレットディスプレイ２４に表示される各選択領域（例えば、後述のキープ画像選択領域等）や各表示領域に独立して対応する。
【００３０】
上記カメラ２１は、デジタルカメラが用いられている。カメラ２１は、コンピュータ装置１０１からシャッタースピード、絞り値、露出補正、ホワイトバランス等の設定項目や撮影タイミング等が指示され、その指示に基いて被写体を撮影する撮影手段として機能する。
【００３１】
また、筐体１のカメラ２１の周囲には、蛍光灯等の照明装置３０やフラッシュ１１５等を内蔵し、被写体の照明を行なうための照明ボックス１８が備えられている。
【００３２】
さらに、筐体１には、撮影側筐体１内部の熱を逃がすためのファン、外部装置への画像の配信、リモートメンテナンス等の外部装置と通信を行なうための通信ケーブルを差込むためのＬＡＮ（Ｌｏｃａｌ  Ａｒｅａ  Ｎｅｔｗｏｒｋ）ケーブル差込口等が備えられていることが好ましい。
【００３３】
また、撮影空間３内には、様々な色や柄の背景カーテン（図示していない）が配備され、撮影時の背景として用いられる。背景カーテンは、巻き上げ式、引き出し式等、ユーザ６の手動操作によりセットされてもよいし、ユーザ６の操作により自動でセットされてもよい。
【００３４】
さらに、図１に示すように、本装置の側面は、ユーザ６が撮影空間３内に出入りできるように開けられているが、ユーザ６のプライバシーに配慮するため、または外部光を遮断するため等の目的で、サイドカーテン（図示していない）が備えられている。
【００３５】
つぎに、図３を参照して、本装置の筐体１の背面について説明する。
【００３６】
図３に示すように、本装置の筐体１の背面には、後述のタブレットディスプレイ１３と、後述の入力手段としての２つのタッチペン１４Ｌ，１４Ｒと、ユーザに対し音楽や操作方法の説明等を音声で出力するスピーカ１５とが備えられ、編集空間４が形成されている。ユーザ６は、この編集空間４において、撮影した画像にスタンプ画像やテキスト等の落書き画像（第１落書き画像や第２落書き画像を含む）をペン入力する編集操作を行なう。
【００３７】
上記タブレットディスプレイ１３は、ディスプレイにタッチパネルが積層され、後述の余白編集領域，撮影画像，編集画面，印刷対象画像選択画面，印刷レイアウト選択画面等の遊戯に必要な各種画面や、実行されるプレイ方法（コース）の選択等の選択肢を表示するとともに、上下左右に選択肢の選択を移動させるカーソルボタン、当該選択を決定する「決定」ボタン、当該決定をキャンセルするキャンセルボタンとを含んで構成される操作ボタンや選択ボタンや、プレイ待機中のデモ画像、プレイ進行に応じた案内画像、選択画像等のユーザ６に必要な画像をコンピュータ装置１０１のプログラムが指示した内容で適宜画面表示し、該操作ボタンや選択ボタンの画像領域に、ユーザ６がタッチペン１４Ｌ，１４Ｒ等で触れることにより、ユーザ６からの操作を受け付ける表示手段として機能する。
【００３８】
なお、本実施例では、上記タブレットディスプレイ１３を１つだけ設けているが、複数設けてもよい。
【００３９】
上記タッチペン１４Ｌ，１４Ｒは、ペン形状の入力装置であって、タブレットディスプレイ１３にタッチすることで、背景、スタンプ、フレーム、文字等の落書き画像の入力、または使用する項目（ボタン）の選択、操作の選択等の選択入力や情報の入力を行なうことができる。このタッチペン１４Ｌ，１４Ｒは、本装置に複数備えられて同時に複数のユーザ６からの入力操作を可能にしている。
【００４０】
上記タッチペン１４Ｌ，１４Ｒには、後述のＣＰＵ１０１ａがタブレットディスプレイ１３に対していずれのタッチペンから入力されたかを識別するために、それぞれ識別情報が付加されている。本実施例では、タッチペン１４Ｌには、識別情報としてＩＤ＝１、タッチペン１４Ｒには識別情報としてＩＤ＝２が割り当てられている。これにより、上記タッチペン１４Ｌ，１４Ｒは、それぞれ必要に応じてタブレットディスプレイ１３に表示される各選択領域（例えば、後述の印刷対象画像選択領域等）や各表示領域に独立して対応する。
【００４１】
また、上記筐体１の側面には、箱型の形状を奏したプリント取出口９が備えられる。写真プリントは、プリンタ１２（図４）でプリントされ、上記プリント取出口９に排出される。プリント取出口９の近傍には、印刷中ＬＥＤ（Ｌｉｇｈｔ  Ｅｍｉｔｔｉｎｇ  Ｄｉｏｄｅ）１０と印刷エラーＬＥＤ１１が備えられ、それらが点灯あるいは点滅することによって、ユーザ６は、印刷中であるという状態、あるいは印刷中に用紙切れ、インク切れ、用紙詰り、メカニカルエラー等のエラーが発生しているという状態を知ることができる。
【００４２】
上記プリンタ１２（図４）は、画像を紙、シール、金属やプラスチック等の印刷媒体３５（図４）に印刷するための印刷手段であって、昇華型プリンタやサーモオートクローム方式（光定着型直接感熱記録方式）等のプリンタが用いられる。なお、本装置では、プリンタ１２は、シールに印刷するものとして説明を行なうが、印刷媒体３５は、シールに限定されず、他の印刷媒体であっても同様の処理が実行される。
【００４３】
つぎに、図４を参照して、本実施例における本装置の機能について説明する。
【００４４】
図４に示すように、本装置は、本装置を動作させるためのコンピュータ装置（パーソナルコンピュータ）１０１と、制御部１０２とを備える。制御部１０２は、基板等を含んで構成され動作中のコンピュータ装置１０１からの指示を受け付けて、接続されている各種装置を制御する。
【００４５】
上記コンピュータ装置１０１は、各種機器の制御を行なう演算装置であるＣＰＵ（Ｃｅｎｔｒａｌ  Ｐｒｏｃｅｓｓｉｎｇ  Ｕｎｉｔ）１０１ａと、プログラムの一時的な作業領域ともなるメモリ１０１ｂと、上記カメラ２１、上記プリンタ１２、上記タブレットディスプレイ１３等の周辺機器を制御するためのソフトウェアであるドライバ１０１ｃと、装置を動作させるためのプログラム、そのプログラムで必要なグラフィックデータ、音声データ、撮影された画像（撮影画像）、およびその他の各種画像等を記憶する記憶装置１０１ｄと、ＬＡＮケーブル等の通信ケーブルを介して外部機器と接続された場合に通信を行なう通信部１０１ｅとを含んで構成されている。コンピュータ装置１０１は、電源プラグより電源が供給されている状態で電源スイッチ２９が押されると、本装置に電源が投入されて上記プログラムが起動されて動作する。
【００４６】
上記ＣＰＵ１０１ａは、後述のキープ画像選択処理（Ｓ７），編集処理（Ｓ９），余白編集処理（図６）等の各種処理を制御する制御手段としての機能を有する。また、ＣＰＵ１０１ａは、上記キープ画像選択処理（Ｓ７）において、後述のキープ画像選択領域をタブレットディスプレイ２４に複数表示させ（Ｓ２６）、上記複数のキープ画像選択領域でそれぞれ異なる選択操作を許容する（Ｓ２８）。また、ＣＰＵ１０１ａは、ユーザ６に対して第１落書き入力手段（タブレットディスプレイ１３、タッチペン１４Ｌ，１４Ｒ等）で上記撮影画像に対して第１落書き画像を入力させる撮影画像編集処理としての編集処理（Ｓ９）を実行するとともに、ユーザ６に対して第２落書き入力手段（タブレットディスプレイ１３、タッチペン１４Ｌ，１４Ｒ等）で印刷媒体３５の撮影画像印刷領域２２１ａ，２２１ｂ以外の所定の余白領域２２３ａ，２２３ｂに対して第２落書き画像を入力させる余白編集処理を実行する。
【００４７】
また、本装置は、電源を必要とするカメラ２１、制御部１０２、および照明装置３０等の各種装置の電源系統を制御する電源制御部１０３を備え、電源制御部１０３により外部からそれらの装置に対する電源の電圧を安定させるよう制御する。
【００４８】
上記電源の投入および切断は、電源スイッチ２９を押すことで行なわれる。しかし、電源切断によりコンピュータ装置１０１で動作しているプログラムを強制的に終了させることは、動作を不安定にさせる原因となる場合がある。そのため、電源が落とされても、しばらくはＵＰＳ（Ｕｎｉｎｔｅｒｒｕｐｔｅｄ  Ｐｏｗｅｒ  Ｓｕｐｐｌｙ）１０４が電源をバックアップし、コンピュータ装置１０１に停電信号を送信する。その間に、コンピュータ装置１０１はプログラムの終了の手続を行ない、プログラムを正常に終了させる。
【００４９】
上記制御部１０２は、サービスパネル１０５から制御信号を受け付ける。サービスパネル１０５は、投入されたコインの枚数をカウントするコインカウンタ、印刷されたプリントの枚数をカウントするプリントカウンタ、スピーカ１５やスピーカ２３Ｌ，２３Ｒから出力する音声のボリュームを調整する音量調整つまみ、テストモードを行なうためのテストボタン、コインを投入しなくても装置が利用できるようにするためのサービスボタン等を備えるパネルであって、本装置の設置者が各種設定やメンテナンスの操作を行なう際に用いる。
【００５０】
また、上記制御部１０２は、サービスパネル１０５、コイン制御部１０７からの信号を受付けコンピュータ装置１０１に通知したり、逆に、コンピュータ装置１０１からの制御信号（指示等）によりサービスパネル１０５、フラッシュ制御部１１３、フラッシュ１１５、コイン制御部１０７、印刷中ＬＥＤ１０、印刷エラーＬＥＤ１１を制御したりする。
【００５１】
上記コイン制御部１０７は、コイン投入口２６に投入されたコインの正当性を検出し、制御部１０２にコインが投入されたことを示すコイン検出信号を送信する。また、コイン制御部１０７は、ユーザ６に対してコイン投入を禁止するときは、上記制御部１０２からの信号により、コインが投入されないようにコイン投入口２６をブロックすることができる。
【００５２】
上記サービスパネル１０５は、テストボタン、サービスボタンが押下されたことを示す信号を制御部１０２に送信する。逆に、制御部１０２からの信号により、コインカウンタ、プリントカウンタを動作させる（例えばカウンタを１インクリメントする）。また、コンピュータ装置１０１から出力される音声情報は、制御部１０２を介してサービスパネル１０５上の音量調整つまみで調整された音量でスピーカ１５，２３Ｌ，２３Ｒから音声として出力される。
【００５３】
さらに、上記プリンタ１２の状態がコンピュータ装置１０１に通知されると、コンピュータ装置１０１は、制御部１０２にその状態に応じた信号を送出する。制御部１０２は、その信号に基いて印刷中ＬＥＤ１０や印刷エラーＬＥＤ１１を点灯または点滅させる。
【００５４】
なお、本装置の形態は、図１〜図４に示される具体例に限定されるものではない。すなわち、図１〜図４に示していない機能や装置が備えられていてもよいし、図１〜図４に示している機能や装置が必ずしも全て備えられていなくても構わない。例えば、プリンタ１２は、本装置に含まれていなくてもよい。この場合、本装置は、ＬＡＮ等の通信回線や無線通信等を介して印刷制御信号を外部に設けられたプリンタ１２に出力してもよい。
【００５５】
つぎに、図５および図６のフローチャートを参照して、本装置の動作処理の一例について説明する。
【００５６】
図５および図６に示す処理は、コンピュータ装置１０１のＣＰＵ１０１ａが記憶装置１０１ｄに記憶されるプログラムをメモリ１０１ｂに読出して実行することによって実現される。ここで、図５〜図６において、「Ｓ」はステップを意味する。
【００５７】
上記電源スイッチ２９が操作され、電源が投入されると、各種装置に電源が供給される。そして、コンピュータ装置１０１のＣＰＵ１０１ａは、記憶装置１０１ｄに記憶されたプログラムを起動する。ついで、ＣＰＵ１０１ａは、各種装置が正常に接続されているかチェックし、初期化が必要な装置に対しては初期化を行なう。その後、本装置の利用を促すタイトルデモ（デモ画面）をタブレットディスプレイ２４に表示し、それに応じてスピーカ２３Ｌ，２３Ｒから音声を出力するタイトルデモ処理を行なう（Ｓ１）。
【００５８】
ついで、ＣＰＵ１０１ａは、デモ画面が表示されている状態で、撮影側サービスパネル１０５において、テストボタンが押されたか否かを判別する（Ｓ２）。ここで、テストボタンが押されたと判別すると（Ｓ２で“ＹＥＳ”）、Ｓ３に進み、テストボタンが押されていないと判別すると（Ｓ２で“ＮＯ”）、Ｓ４に進む。
【００５９】
上記テストボタンが押されると（Ｓ２で“ＹＥＳ”）、本装置のメンテナンスを行なうためのテストモードを起動する（Ｓ３）。このテストモードは、本装置の設置者等が本装置を操作するためのモードである。このモードにおいては、当該本装置の利用状況（例えば、コイン投入数等）の確認、カメラ２１やプリンタ１２等の周辺機器の調整ができ、種々の設定を受け付ける。このテストモードを終了すると、Ｓ１に戻る。
【００６０】
ここで、本装置の設置者とは、本装置を設置し営業を行なっている店舗等の経営者、管理者、および従業員等を含み、営業中に、ユーザ６に対応できるものである。
【００６１】
本装置は、このタイトルデモによる案内している間に対価の投入を受け付けるようになっている。ＣＰＵ１０１ａは、デモ画面が表示されている間にコイン制御部１０７からコイン検出信号を受信し、所定の対価（例えば、４００円）を受け付けたか否かを判別する（Ｓ４）。ここで、対価を受け付けたと判別すると（Ｓ４で“ＹＥＳ”）、Ｓ５に進み、対価を受け付けていないと判別すると（Ｓ４で“ＮＯ”）、Ｓ１に戻る。すなわち、デモ画面を表示しながら対価受け付けを監視している。
【００６２】
所定の対価を受け付けると（Ｓ４で“ＹＥＳ”）、ＣＰＵ１０１ａは、撮影モードの選択肢をタブレットディスプレイ２４に提示し、撮影モードの選択をユーザ６から受け付ける撮影モード選択処理を行なう（Ｓ５）。
【００６３】
上記撮影モード選択処理（Ｓ５）が終了すると、ＣＰＵ１０１ａは、選択された撮影モードでユーザ６を撮影する撮影処理を行なう（Ｓ６）。この撮影処理では、ＣＰＵ１０１ａは、ライブモニタ２２にカメラ２１が取得する撮像映像をリアルタイムに表示させる。ユーザ６は、撮像映像がライブモニタ２２にリアルタイムに表示されることで、ライブモニタ２２に表示される画像を見ながら、好みの表情やポーズをとることができる。
【００６４】
なお、ここで、ＣＰＵ１０１ａは、カメラ２１が取得した画像をそのままライブモニタ２２に表示させてもよいし、左右に反転処理して表示させてもよい。カメラ２１が取得した画像を左右に反転処理してライブモニタ２２に表示させた場合、ユーザ６の姿を鏡に写す方向と同じ方向でライブモニタ２２に表示することができる。そのため、ユーザ６は、ライブモニタ２２を見ながら好みの表情やポーズをとることが容易になる。
【００６５】
また、上記撮影処理（Ｓ６）では、ユーザ６は、撮影モードにしたがって撮影するだけではなく、タブレットディスプレイ２４に表示される操作画面およびスピーカ２３Ｌ，２３Ｒから流れる音声にしたがって、背景カーテンの選択をしたり、カメラ２１を好みの位置に移動させたり、カメラ２１を回転、または向きを調整したりすることができる。これらのユーザ６からの指示は、タブレットディスプレイ２４で受け付ける。さらに、カメラ２１の近傍等にカメラ２１の向きやズーム等の調整をユーザ６に行なわせるためのボタン等が備えられる場合には、ＣＰＵ１０１ａは、そのボタン等の操作に応じてカメラ２１の向きやズーム等の調整指示を受け付ける。そして、受け付けた撮影モードや背景カーテン等で撮影が行なわれる。
【００６６】
撮影は、コンピュータ装置１０１がカメラ２１に撮影信号を送信し、カメラ２１がその撮影信号に応じてシャッタを切ることで、カメラ２１からコンピュータ装置１０１の記憶装置１０１ｄに静止画像が取込まれることにより行なわれる。カメラ２１の撮影タイミングは、コンピュータ装置１０１が動作プログラムにしたがって所定のタイミングで自動的に撮影信号をカメラ２１に送信し、時間経過とともに「３、２、１」等のカウントダウンをタブレットディスプレイ２４あるいはスピーカ２３Ｌ，２３Ｒに出力してユーザ６に報知されるようにしてもよい。また、カメラ２１の近傍に設けられた撮影ボタン（図示していない）を押下することでシャッタが切られるようにしてもよい。上記撮影処理（Ｓ６）では、上記のような撮影を所定回数繰返し行なう。
【００６７】
上記撮影処理（Ｓ６）が終了すると、上記複数の撮影画像の中からキープ画像を選択するためのキープ画像選択処理（Ｓ７）を行なう。
【００６８】
上記キープ画像選択処理では、ＣＰＵ１０１ａは、まず、図７に示す人数選択画面をタブレットディスプレイ２４に表示する。人数選択画面では、ユーザ６に対してユーザ６の人数を入力させるようになっている。本実施例では、人数選択画面に「何人でシールをわけるの？」と表示され、ユーザ６に対して、写真を分割する人数や編集入力を行なう人数を選択入力させるようになっている。
【００６９】
ここで、入力された使用者の人数（具体的には、使用者の人数を示す情報）に応じて、後述のキープ画像画面（図８）のキープ画像選択領域の数、後述の余白編集領域（図１５）の数、後述の印刷対象画像選択画面（図１６）の印刷対象画像選択領域の数が設定される。すなわち、ＣＰＵ１０１ａは、ユーザ６に対して使用者の人数を入力させ、入力された使用者の人数（使用者に関する情報）に応じて上記キープ画像選択領域の数、余白編集領域の数、印刷対象画像選択領域等の各領域や各ボタンの数を変更する。
【００７０】
詳細には、図８に示すように、キープ画像選択画面は、撮影画像群（サムネイル表示された６枚の撮影画像「Ａ」，「Ｂ」，「Ｃ」，「Ｄ」，「Ｅ」，「Ｆ」）が表示される撮影画像群表示領域８５と、これらの撮影画像群の中からユーザ６に対して落書き入力させるためのキープ画像を選択させるキープ画像選択領域８１ａ，８１ｂと、ユーザ６に対して選択した内容で決定させる「決定」ボタン８２ａ，８２ｂとを含んで構成されている。
【００７１】
上記のように、キープ画像選択領域は、上記入力された使用者の人数と同じ数（本実施例では、２つ）だけ表示されている。このため、ユーザ６は、撮影側のタッチペン７Ｌで上記サムネイル表示された複数の撮影画像のうち好みの撮影画像をタッチすることにより、そのタッチした撮影画像がキープ画像選択領域８１ａに表示され、キープ画像として選択される。一方、撮影側のタッチペン７Ｒで上記サムネイル表示された複数の撮影画像のうち好みの撮影画像をタッチすることにより、そのタッチした撮影画像がキープ画像選択領域８１ｂに表示され、キープ画像として選択される。
【００７２】
すなわち、ＣＰＵ１０１ａは、キープ画像選択領域８１ａにおいて、タッチペン７Ｌの選択操作を受け付け、キープ画像選択領域８１ｂにおいて、タッチペン７Ｒの選択操作を受け付ける。このように、上記キープ画像選択領域８１ａ，８１ｂは、複数の撮影画像の中からユーザ６に対して落書き入力させるためのキープ画像を選択させる領域として機能する。
【００７３】
ここでは、本装置に用意されたタッチペン本数分と同数の組合せで、各ユーザ６がキープ画像の選択をそれぞれ行ない、異なる選択ができるようになっている。すなわち、それぞれのユーザ６は、編集したい所望の画像を選択できるようになっている。なお、タッチペンの数は、任意の数だけ設けることができる。これにより、１プレイ時のユーザ６の人数にかかわらず、各ユーザ６がそれぞれのタッチペンで独自の選択操作を行なうことができる。
【００７４】
図８に示すキープ画像選択画面のキープ画像選択領域８１ａにおいては、撮影画像「Ａ」，「Ｂ」，「Ｃ」，「Ｄ」，「Ｅ」，「Ｆ」の６枚がキープ画像として選択されている。一方、キープ画像選択領域８１ｂにおいては、撮影画像である「Ａ」，「Ｂ」，「Ｃ」，「Ｄ」，「Ｅ」，「Ｆ」のうち「Ａ」，「Ｂ」，「Ｅ」の３枚がキープ画像として選択されている。このように、上記キープ画像選択画面（図８）では、人数選択画面（図７）で入力した人数（ここでは２人）と、同数の組合せ（ここでは２通り）でそれぞれキープ画像を選択することができる。
【００７５】
また、図９に示すように、２人のユーザ６でキープ画像の選択を行なう場合において、いずれかのユーザ６が１つもキープ画像を選択しないとき、その選択しない操作が許容される。これは、ユーザ６によりキープ画像選択領域８１ｂで１つもキープ画像を選択しないまま、「決定」ボタン８２ｂがタッチされることにより実現される。
【００７６】
すなわち、本実施例の選択操作は、選択する操作と、選択しない操作とを含む趣旨である。
【００７７】
このように、ＣＰＵ１０１ａがそれぞれのユーザ６による異なる選択操作を許容することで、キープ画像を、それぞれ所望の数だけ選択することも可能であり、撮影した枚数だけ選択することもできるし、気に入ったものだけ選択することもできる。また、編集に慣れているユーザ６は多めに選択できるし、編集に慣れていないユーザ６は少なめに選択することができる。さらに、落書き入力をしたくないユーザ６は、キープ画像を選択しないことにより、落書き入力をせず、写真プリントを得ることができる。
【００７８】
また、複数のユーザ６でキープ画像の選択を行なっている場合には、各ユーザ６のキープ画像の選択操作がそれぞれ許容される。すなわち、各ユーザ６は、それぞれ上記複数の撮影画像の中から自分の好みのキープ画像を選択する操作を行なうことができるとともに、キープ画像を選択しない操作を行なうことができる。また、各ユーザ６は、キープ画像を選択する操作を行なうことで、その選択したキープ画像に対して落書き入力を実行し、キープ画像と落書き入力画像との合成画像を得ることができる。特に、落書き入力に慣れているユーザ６は、キープ画像を多めに選択し、編集に慣れていないユーザ６は、キープ画像を少なめに選択することができるため、ユーザ６に対して熟練度に応じた遊戯を提供することができる。また、ユーザ６は、キープ画像を選択しない操作を行なうことで、キープ画像に対して落書き入力を実行しないで写真プリントを得ることができる。このように、各ユーザ６の好みの選択操作に応じることができるため、ユーザ６の遊戯に対する満足度が向上する。
【００７９】
また、ユーザ６によって入力された上記使用者の人数が、例えば「２人」であると、上記キープ画像選択領域を上記タブレットディスプレイ２４に２つ表示させ、「３人」であると、上記キープ画像選択領域を上記タブレットディスプレイ２４に３つ表示させることができる。したがって、ユーザ６は、キープ画像を選択したいユーザ６の数に応じて上記使用者の人数を入力することで、それぞれ自分の好みのキープ画像を選択することができ、そのキープ画像や合成画像を写真プリントとして得ることができる。
【００８０】
なお、ユーザ６によって入力された上記使用者の人数が、例えば「１人」であると、ＣＰＵ１０１ａは、上記キープ画像選択処理（Ｓ７）において、上記キープ画像選択領域を上記タブレットディスプレイ２４に１つ表示させ、そのキープ画像選択領域で選択操作を許容するようにしてもよい。また、使用者の人数が複数の場合でも、キープ画像選択領域が１つで、その中に、キープ画像を一覧で表示し、それぞれのタッチペン１４Ｌ，１４Ｒで、キープ画像を選択するようにしてもよい。
【００８１】
上記選択されたキープ画像は、後述の編集画面の画像選択領域にサムネイル表示される。また、後で詳しく説明するが、編集画面においてキープ画像を選択し直すこともできる。また、１人のユーザ６が複数のキープ画像選択領域８１ａ，８１ｂでキープ画像を選択してもよい。
【００８２】
再び、図５を参照して、上記キープ画像選択処理（Ｓ７）が終了すると、ユーザ６に対して、編集空間４へ移動するように促す案内をタブレットディスプレイ２４に表示する。これにより、ユーザ６は、案内にしたがって、編集空間４へ移動する。そして、以降のユーザ６の操作は、編集空間４で行なわれ、ＣＰＵ１０１ａは、ユーザ６に対してキープ画像の画質を選択させる画質選択処理を行なう（Ｓ８）。画質選択処理では、キープ画像をタブレットディスプレイ１３に表示する。そして、キープ画像自体の明るさ調整（ハイキー調整）、回転等の画像処理を行なう画面が表示され、ユーザ６の好みにより撮影した画像を調整または加工することができる。
【００８３】
上記画質選択処理（Ｓ８）が終了すると、ＣＰＵ１０１ａは、キープ画像選択処理（Ｓ７）で選択された撮影画像である所定のキープ画像に対しての落書き入力をユーザ６に実行させる編集処理を行なう（Ｓ９）。この編集処理では、タブレットディスプレイ１３に編集画面（図１０）を表示し、ユーザ６がキープ画像に対して第１落書き画像（落書き入力画像）を入力する編集入力（落書き画像入力）を受け付けるようになっている。すなわち、編集処理では、ユーザ６に対して上記撮影画像に対して第１落書き画像を入力させるようになっている。
【００８４】
上記所定のキープ画像は、ユーザ６により複数の撮影画像の中からキープ画像として選択された撮影画像と、ＣＰＵ１０１ａにより複数の撮影画像の中からキープ画像として自動的に選択された撮影画像とを含む趣旨である。
【００８５】
図１０に示す編集画面は、ユーザ６がキープ画像に対する落書き入力する落書き入力領域７０ａ，７０ｂと、ユーザ６が上記落書き入力領域７０ａ，７０ｂに落書き入力するための落書き機能を選択する落書き機能選択領域７１ａ，７１ｂと、キープ画像を追加するための「写真追加」ボタン８０ａ，８０ｂと、ユーザ６が後述の余白編集を実行するための「余白編集」ボタン８４ａ，８４ｂと、キープ画像選択処理（Ｓ７）で選択されたキープ画像をサムネイル表示し、その中から落書き画像を入力するためのキープ画像を選択するキープ画像表示領域８６ａ，８６ｂとを含んで構成されている。
【００８６】
上記落書き機能選択領域７１ａ，７１ｂには、一部のボタンを図示していないが、編集対象とする画像とを切り替えるための「切替」ボタンや、画像を切り替えて編集を行なうための編集ツールである「フレーム」ボタン，「スタンプ」ボタン，「ペン」ボタンや、入力した画像を消すための「けしごむ」ボタンや、入力操作を１つ前の状態に戻すための「ひとつもどる」ボタンや、画像入力を最初からやり直すための「はじめから」ボタン等の落書き機能（ツールボタン）が表示される。
【００８７】
上記編集画面のキープ画像表示領域８６ａ，８６ｂには、それぞれユーザ６が選択したキープ画像や自動的に選択されたキープ画像がサムネイル表示され、ユーザ６は、それらの中から落書き入力するキープ画像を選択する。そして、上記のいずれかのツールボタンを編集側のタッチペン１４Ｌ，１４Ｒでタッチして使用するツールを選択する。編集画面の左半分はタッチペン１４Ｌで操作し、右半分はタッチペン１４Ｒで操作する。
【００８８】
ユーザ６によりキープ画像が選択されなかったキープ画像表示領域には、キープ画像は、表示されない。具体的には、ＣＰＵ１０１ａは、メモリ１０１ｂに格納された選択拒否情報に基いて選択されなかったキープ画像表示領域においてキープ画像を表示しない制御を行なう。
【００８９】
また、上述の場合は、キープ画像の選択操作を２人で同時に許容しているため、編集画面上には、それぞれの選択されたキープ画像群に対応して２人で同時に編集操作ができるように、いわゆる２画面の構成をとっている。しかし、いずれかの使用者が１枚もキープ画像を選択しなかった場合は、編集画面の左半分に落書き入力領域を１つ大きく表示し、編集画面の右半分には落書き機能選択領域を１つ大きく表示する、いわゆる１画面での編集画面で操作するようにしてもよい。こうすることで、編集で用いるツール等が多く一覧表示でき、またユーザ６が撮影画像の細部への落書き入力がし易くなる。
【００９０】
さらに、落書き入力画像の色や柄等を選択した後、落書き入力領域７０ａ，７０ｂに表示されたキープ画像上で編集入力を行なう。編集中には、撮影された画像と編集入力された画像とをそれぞれ別の画層（レイヤ）に展開し、タブレットディスプレイ１３上にそれら画層を重ねて表示する。それぞれの画層のどちらを上に表示するかは、用途により設定されている。例えば、編集入力された画像を撮影された画像の前景画像とする場合には、編集入力された画像が上の画層となる。なお、編集入力された画像（落書き入力画像）は、スタンプ画像の層やフレーム画像の層等の画層で構成されていてもよい。また、各画層を複数の層で構成し、落書き入力画像を当該複数の層で構成してもよい。
【００９１】
また、ここでキープ画像を追加したい場合は、「写真追加」ボタン８０ａ，８０ｂをタッチペン１４Ｌ，１４Ｒでタッチすることにより、上記撮影画像をキープ画像として追加することができる。
【００９２】
図１１に示すように、キープ画像表示領域８６ｂのキープ画像「Ａ」，「Ｂ」，「Ｅ」の下方には、キープ画像として選択されなかった撮影画像「Ｃ」，「Ｄ」，「Ｆ」が表示されている。上記キープ画像「Ａ」，「Ｂ」，「Ｅ」と上記撮影画像「Ｃ」，「Ｄ」，「Ｆ」とは色の明暗や色彩の違い等の表示態様により区別され表示されている。
【００９３】
例えば、図１２に示すように、ユーザ６によりキープ画像表示領域８６ｂの撮影画像「Ｃ」，「Ｄ」，「Ｆ」の中から撮影画像「Ｆ」がタッチ（選択）されると（図１１）、ＣＰＵ１０１ａは、撮影画像「Ｆ」をキープ画像として追加する。これにより、ユーザ６は、その追加された撮影画像「Ｆ」に対して落書き入力を実行することができる。
【００９４】
なお、ユーザ６が所定のキープ画像（選択されたキープ画像）を除外するための「削除」ボタン（図示していない）を設けて、ユーザ６による「削除」ボタンの操作に応じて所定のキープ画像を除外するようにしてもよい。これにより、ユーザ６は、例えば編集時間制限により編集しきれないキープ画像を削除することができ、中途半端な落書き入力のままで編集が終了してしまうことを防止することができる。
【００９５】
すなわち、上記ＣＰＵ１０１ａは、上記編集処理（Ｓ９）において、ユーザ６の操作に応じて上記キープ画像を変更（追加や除外等）するため、ユーザ６は、編集中に上記キープ画像を変更したいと思ったとき、操作に応じて上記キープ画像を変更し、その変更したキープ画像に対して落書き入力を実行することができる。したがって、各ユーザ６は、一層自分の好みに合ったキープ画像や合成画像を得ることができる。
【００９６】
また、図１３に示すように、上記落書き入力領域７０ａ，７０ｂには、それぞれキープ画像「Ａ」が編集可能に表示されている。落書き入力領域７０ａ，７０ｂには、それぞれキープ画像「Ａ」が表示され、落書き入力領域７０ａのキープ画像「Ａ」に対しては「ハート」画像が入力され、落書き入力領域７０ｂのキープ画像「Ａ」に対しては「三日月」画像が入力されている。
【００９７】
上記ＣＰＵ１０１ａは、上記編集処理（Ｓ９）において、異なるキープ画像選択領域で同じキープ画像が選択された場合、それぞれのキープ画像に対し異なる落書き入力を実行しうるようになっているため、上記のように、異なるキープ画像選択領域で同じキープ画像が選択されても、それぞれのキープ画像に対し異なる落書き入力を実行することができるようになっている。
【００９８】
このようにすることにより、複数のユーザ６で落書き入力を実行するときには、各ユーザ６は、他のユーザ６と同じキープ画像でもそのキープ画像に対して異なる落書き入力を実行することができる。したがって、各ユーザ６は、他のユーザ６と同じキープ画像に対して独自の落書き入力画像が合成された合成画像を得ることができる。これにより、各ユーザ６は、好みのキープ画像に対して好みの落書き入力が実行された合成画像を得ることができる。このように、他のユーザ６と同じキープ画像でも、異なる落書き入力画像と合成されることにより、結果的に印刷出力される写真プリントのバリエーションが増え、顧客満足度が一層向上する。
【００９９】
ユーザ６は、「余白編集」ボタン８４ａ，８４ｂをタッチペン１４Ｌ，１４Ｒでタッチすると、後述の余白編集処理（図６）が行なわれ、上記印刷媒体３５の撮影画像印刷領域２２１ａ，２２１ｂ（図１５）以外の所定の余白領域２２３ａ，２２３ｂ（図１５）に対して第２落書き画像を入力することができるようになっている。
【０１００】
ここで、図６を参照して、上記余白編集処理について説明する。
【０１０１】
まず、ＣＰＵ１０１ａは、編集画面の「余白編集」ボタン８４ａ，８４ｂがタッチペン１４Ｌ，１４Ｒでタッチされたか否かを判別する（Ｓ２１）。ここで、「余白編集」ボタン８４ａ，８４ｂがタッチされたと判別すると（Ｓ２１で“ＹＥＳ”）、Ｓ２２に進み、「余白編集」ボタン８４ａ，８４ｂがタッチされていないと判別すると（Ｓ２１で“ＮＯ”）、このまま待機し、編集処理（図５のＳ９）をそのまま続行する。
【０１０２】
「余白編集」ボタン８４ａ，８４ｂがタッチされると（Ｓ２１で“ＹＥＳ”）、ＣＰＵ１０１ａは、タッチされた「余白編集」ボタンに対応する余白編集領域を含む余白レイアウト表示領域を表示する（Ｓ２２）。余白編集領域は、上記印刷媒体３５の撮影画像印刷領域以外の所定の余白領域に対して落書き画像を入力させるための領域である。
【０１０３】
具体的には、「余白編集」ボタン８４ａがタッチされると、その「余白編集」ボタン８４ａに対応する余白編集領域９０ａを含む余白レイアウト表示領域９３ａが表示され、「余白編集」ボタン８４ｂがタッチされると、その「余白編集」ボタン８４ｂに対応する余白編集領域９０ｂを含む余白レイアウト表示領域９３ｂ（図１５）が表示される。上記各余白編集レイアウト表示領域は、上記撮影画像を表示する撮影画像表示領域９５ａと上記余白編集領域とを含んで構成されている。
【０１０４】
図１４に示す編集画面の左側では、「余白編集」ボタン８４ａがタッチされ、余白レイアウト表示領域９３ａが表示され、編集画面の右側では、「余白編集」ボタン８４ｂがタッチされておらず、編集が行なわれている。
【０１０５】
図１５に示すように、「余白編集」ボタン８４ｂがタッチされると、ＣＰＵ１０１ａは、編集画面内の左側と同様に、編集画面内の右側に余白レイアウト表示領域９３ｂを表示する。
【０１０６】
すなわち、ＣＰＵ１０１ａは、ユーザ６の操作（例えばユーザ６による人数の入力）に基いて余白編集領域を区分し、上記複数の余白編集領域でそれぞれ異なる選択操作を許容し、ユーザ６に対してそれぞれの余白編集領域９０ａ，９０ｂに落書き画像を入力させ、それらに対応する余白領域に第２落書き画像が入力されるようになっている。これにより、各ユーザ６は、印刷媒体３５の自分の持分に対して余白編集を行なうことができるようになっている。
【０１０７】
図１５（Ａ）に示す例では、ユーザ６により上記使用者の人数として「２人」が入力され、１枚の印刷媒体３５を２人のユーザ６で半分に分ける場合において、それぞれの余白編集領域９０ａ，９０ｂに異なる落書き入力されている。このようにすることにより、図１５（Ｂ）に示すように、印刷媒体３５の余白領域２２３ａに余白編集領域９０ａに入力された第２落書き画像が印刷され、その印刷媒体３５の余白領域２２３ｂに余白編集領域９０ｂに入力された第２落書き画像が印刷される。このため、できあがった写真プリントを切断したときに、その写真プリントの余白部分が不自然な余白とならない。
【０１０８】
ついで、ＣＰＵ１０１ａは、タッチされた「余白編集」ボタンを「写真編集」ボタンに代えて表示する（Ｓ２３）。「写真編集」ボタン９１ａ，９１ｂは、余白編集を終了してユーザ６に対して編集を行なわせるための操作領域（ボタン）である。ついで、ＣＰＵ１０１ａは、後述のユーザ６に対して余白レイアウト表示領域９３ａ，９３ｂの表示方向を変更させるための「方向変更」ボタン８９ａ，８９ｂを表示し（Ｓ２４）、表示された余白編集領域に対する落書き入力の受け付けを開始する（Ｓ２５）。詳細には、「写真編集」ボタンがタッチされるまで（後述のＳ２６で“ＹＥＳ”）、余白編集領域に対する第２落書き画像の入力を受け付けながら、上記各ボタンが操作されたか否かを監視する。
【０１０９】
このように、ＣＰＵ１０１ａは、余白編集処理において、編集画面内に、落書き入力終了後（できあがり）の印刷媒体３５の余白にメッセージや装飾画像等の落書き画像（第２落書き画像）をユーザ６に対して入力させるためのシールの余白部分である余白編集領域９０ａ，９０ｂと、上記余白編集領域９０ａ，９０ｂの表示方向をユーザ６に対して変更させるための「方向変更」ボタン８９ａ，８９ｂ等を表示する。
【０１１０】
落書き入力が受け付けられるようになると（Ｓ２５）、ユーザ６は、写真の編集と同様に、落書き機能選択領域７１ａ，７１ｂから好みの落書き機能（ツールボタン）を選択して、余白編集領域９０ａ，９０ｂにスタンプ編集用画像やテキスト等の第２落書き画像を入力する余白編集を行なうことができる。図示においては、上記余白編集は、１プレイにおいて出力される写真プリント（印刷媒体３５）の余白部分全体に対して行なわれている。
【０１１１】
すなわち、上記第２落書き画像は、入力した文字を単純なフォントではなく色柄等を付加した装飾性のある文字等（記号や図形を含む）や、形状等が任意に設定された装飾性のある文字等を含む落書き画像（例えば白抜き文字等）であり、１つのデザインされた画像として上記余白部分に対して印刷される。
【０１１２】
ついで、ＣＰＵ１０１ａは、上記「写真編集」ボタンがタッチされたか否かを判別する（Ｓ２６）。ここで、「写真編集」ボタンがタッチされたと判別すると（Ｓ２６で“ＹＥＳ”）、余白編集領域に対する落書き入力の受け付けを終了し、Ｓ２９に進み、「写真編集」ボタンがタッチされていないと判別すると（Ｓ２６で“ＮＯ”）、Ｓ２７に進む。
【０１１３】
「写真編集」ボタンがタッチされていないと（Ｓ２６で“ＮＯ”）、ＣＰＵ１０１ａは、「方向変更」ボタンがタッチされたか否かを判別する（Ｓ２７）。ここで、「方向変更」ボタンがタッチされたと判別すると（Ｓ２７で“ＹＥＳ”）、Ｓ２８に進み、「方向変更」ボタンがタッチされていないと判別すると（Ｓ２７で“ＮＯ”）、Ｓ２６に進む。
【０１１４】
上記「方向変更」ボタンがタッチされると（Ｓ２７で“ＹＥＳ”）、ＣＰＵ１０１ａは、タッチされた「方向変更」ボタンに対応する余白レイアウト表示領域の表示方向を変更し（Ｓ２８）、Ｓ２７に戻る。
【０１１５】
具体的には、ＣＰＵ１０１ａは、「方向変更」ボタン８９ａのタッチに応じて余白レイアウト表示領域９３ａの表示方向を変更し、「方向変更」ボタン８９ｂのタッチに応じて余白レイアウト表示領域９３ｂの表示方向を変更する。
【０１１６】
そして、ユーザ６によって「方向変更」ボタン８９ａ，８９ｂがタッチされるごとに縦長方向、横長方向に余白レイアウト表示領域９３ａ，９３ｂの表示方向をそれぞれ切り替えて変更する。したがって、ユーザ６は、「方向変更」ボタン８９ａ，８９ｂをタッチすることで、余白レイアウト表示領域９３ａ，９３ｂの表示方向を好みの方向に変更し、縦長方向、横長方向のいずれかのレイアウトで余白編集を行なうことができる。
【０１１７】
これにより、ユーザ６は、余白編集領域（余白部分）に自分の好みのデザインや形態で、メッセージや所望の図柄等の第２落書き画像で装飾を施すことができ、オリジナリティあふれる写真プリントを得ることができる。
【０１１８】
「写真編集」ボタンがタッチされると（Ｓ２６で“ＹＥＳ”）、ＣＰＵ１０１ａは、タッチされた「写真編集」ボタンに対応する余白編集領域に対する落書き入力情報をメモリ１０１ｂに格納する（Ｓ２９）。上記落書き入力情報は、各余白編集領域に第２落書き画像が入力されたことを示す情報や上記第２落書き画像が入力されていないことを示す情報、各余白編集領域に対して入力された第２落書き画像の種類や入力された位置等の情報を含む。
【０１１９】
ついで、ＣＰＵ１０１ａは、もとの画面（ここでは、編集画面）に戻し（Ｓ３０）、編集処理（図５のＳ９）を続行する。具体的には、タッチされた「写真編集」ボタンに対応する余白レイアウト表示領域や「方向変更」ボタンを編集画面に表示しないようにし、その「写真編集」ボタンに代えて「余白編集」ボタンを表示する。
【０１２０】
すなわち、ＣＰＵ１０１ａは、ユーザ６の操作（「余白編集」ボタンや「写真編集」ボタンの操作）に応じて上記余白編集処理と上記撮影画像編集処理とを切り替えて制御する。
【０１２１】
このため、上記ＣＰＵ１０１ａは、ユーザ６の操作（具体的には、上記「余白編集」ボタン８４ａ，８４ｂのタッチ）に応じてユーザ６に対して上記印刷媒体３５の撮影画像印刷領域以外の所定の余白領域に対して第２落書き画像を入力させる余白編集処理を制御する。そして、上記余白編集処理において、上記余白編集領域をタブレットディスプレイ１３に表示し余白領域に対する第２落書き画像の入力を使用者に実行させるようになっている。
【０１２２】
したがって、ユーザ６は、上記余白編集処理（図６）において、上記第２落書き入力手段で上記余白領域２２３ａ，２２３ｂに対して第２落書き画像を入力することで、印刷媒体３５の撮影画像印刷領域２２１ａ，２２１ｂに上記合成画像が印刷され、その印刷媒体３５の余白領域２２３ａ，２２３ｂの第２落書き画像が印刷された写真プリントを得ることができる。これにより、ユーザ６は、オリジナリティにあふれる写真プリントを得ることができる。また、例えば、上記第２落書き画像が複数の文字等の画像である場合、ユーザ６は、これらの文字の中から好みのメッセージを上記余白領域２２３ａ，２２３ｂに入力することができる。さらに、上記第２落書き画像が複数のフレーム画像やスタンプ画像等の画像である場合、使用者は、これらの画像の中から好みの画像を上記余白領域２２３ａ，２２３ｂに入力することができる。これにより、使用者は、写真プリント全体として見て１つのデザインとして美しく、一層オリジナリティにあふれる写真プリントを得ることができる。また、入力する第２落書き画像として、例えばユーザ６が自分の名前を入力することで誰の写真プリントかを判別できる機能や、メッセージを入力することで他のユーザ６にメッセージを伝えることができる伝達機能等の機能として写真プリントを機能させることができ、ユーザ６の遊戯に対する満足度が向上する。
【０１２３】
また、ユーザ６は、上記余白編集処理（図６）において、上記余白領域２２３ａ，２２３ｂに対して第２落書き画像を入力させるための余白編集領域９０ａ，９０ｂがそれぞれ表示され、上記第２落書き入力手段で上記余白編集領域９０ａ，９０ｂに上記余白領域２２３ａ，２２３ｂに対する落書き画像をそれぞれ容易に入力することができるため、オリジナリティにあふれる写真プリントを容易に作成することができる。
【０１２４】
なお、ＣＰＵ１０１ａは、上記「余白編集」ボタン８４ａ，８４ｂのタッチにより余白編集処理を行なうのではなく、任意のタイミングで余白編集処理を行なうようにしてもよい。例えば、編集処理を行なう前、あるいは編集処理の後に余白編集処理を行なうようにしてもよい。これにより、ユーザ６は、上記のように、写真編集時に上記「余白編集」ボタン８４ａ，８４ｂのタッチにより画面を切り替えて余白編集を行なうのでなく、写真編集を行なう前、あるいは写真編集が終了した後に、写真シールレイアウト選択と同時に余白編集を行なうことができる。また、余白編集領域９０ａ，９０ｂの方向は、縦長方向、横長方向に限定されるものではなく、任意の方向に変更できるように設定されていてもよい。
【０１２５】
上記落書き入力領域７０ａ，７０ｂや上記余白編集領域９０ａ，９０ｂへの編集入力時間は、予め設定されている。そして、タブレットディスプレイ１３上に残り時間を表示し、カウントダウンを行なう。残り時間が０になると編集入力が終了する。または、画面に表示された「終了」ボタン（図示していない）をタッチすることで強制的に終了させることもできる。このようにすることで、ユーザ６の１回のプレイ時間が長引くことを防止することができ、本装置の稼動回転率（顧客回転率）の低下を防ぐことができる。
【０１２６】
図５に示すように、上記編集処理（Ｓ９）が終了すると、ＣＰＵ１０１ａは、上記所定のキープ画像および／または上記合成画像の中から印刷出力する印刷対象画像をユーザ６に対して選択させる印刷対象画像選択処理を行なう（Ｓ１０）。印刷対象画像選択処理では、上記ＣＰＵ１０１ａは、上記印刷対象画像をユーザ６に対して選択させる印刷対象画像選択領域を含む印刷対象画像選択画面（図１６）を表示し、ユーザ６から印刷対象画像の選択を受け付ける。上記印刷対象画像選択領域の数は、上記人数選択画面（図７）で入力された使用者の人数に応じて変更されるようになっている。具体的には、キープ画像選択画面（図８）にメモリ１０１ｂに記憶された人数に応じた数だけキープ画像選択領域を表示する。
【０１２７】
すなわち、ＣＰＵ１０１ａは、ユーザ６に対して使用者の人数を入力させ、入力された使用者の人数に応じて印刷対象画像選択領域の数を変更する。
【０１２８】
図１６に示すように、印刷対象画像選択画面は、上記入力されたユーザ６の人数に応じた数の印刷対象画像選択領域９２ａ，９２ｂと、上記「決定」ボタン８２ａ，８２ｂとを含んで構成される。図示では、印刷対象画像選択画面に２つの印刷対象画像選択領域９２ａ，９２ｂが表示されている。
【０１２９】
上記印刷対象画像選択領域９２ａでは、キープ画像や合成画像を含む画像「Ａ」，「Ｂ」，「Ｃ」，「Ｄ」，「Ｅ」，「Ｆ」が表示され、そのうち画像「Ａ」，「Ｅ」，「Ｆ」がユーザ６によって印刷対象画像として選択されている。上記印刷対象画像選択領域９２ｂでは、画像「Ａ」，「Ｂ」，「Ｅ」，「Ｆ」が表示され、それらの全てがユーザ６によって印刷対象画像として選択されている。選択されると、上述と同様に色の明暗や色彩の違い等の表示態様により区別され表示される。
【０１３０】
ユーザ６は、タッチペン１４Ｌで上記印刷対象画像選択領域９２ａに表示された画像のうち好みの画像をタッチすることにより、そのタッチした画像が印刷対象画像として選択でき、一方、タッチペン１４Ｒで上記印刷対象画像選択領域９２ｂに表示された画像のうち好みの画像をタッチすることにより、そのタッチした画像が印刷対象画像として選択できる。そして、「決定」ボタン８２ａ，８２ｂがタッチされることで、その選択が決定される。
【０１３１】
すなわち、上記印刷対象画像選択領域９２ａは、タッチペン１４Ｌの選択操作を受け付け、上記印刷対象画像選択領域９２ｂは、タッチペン１４Ｒの選択操作を受け付ける。このように、上記印刷対象画像選択領域９２ａ，９２ｂは、上記所定のキープ画像および／または上記合成画像の中から上記印刷対象画像をユーザ６に対して選択させる領域として機能する。
【０１３２】
このように、印刷対象画像をユーザ６に対して選択させる印刷対象画像選択領域をタブレットディスプレイ１３に複数表示させ、上記複数の印刷対象画像選択領域９２ａ，９２ｂでそれぞれ異なる選択操作を許容するようになっているため、上記のように、複数のユーザ６で印刷対象画像の選択を行なっている場合には、各ユーザ６の印刷対象画像の選択操作がそれぞれ許容され、各ユーザ６は、それぞれ上記所定のキープ画像および／または上記合成画像の中から自分の好みの印刷対象画像を選択し、印刷対象画像として選択したキープ画像および／または合成画像を写真プリントとして得ることができる。
【０１３３】
また、印刷対象画像選択領域の数は、上記人数選択画面（図７）で入力された使用者の人数に応じて変更されるため、ユーザ６によって入力された使用者の人数が、例えば「２人」であると、上記印刷対象画像選択領域を上記タブレットディスプレイ１３に２つ表示させ、「３人」であると、上記印刷対象画像選択領域を上記タブレットディスプレイ１３に３つ表示させることができる。したがって、ユーザ６は、印刷対象画像を選択したいユーザ６の数に応じて上記使用者の人数を入力することで、それぞれ自分の好みの印刷対象画像を選択することができ、その印刷対象画像を写真プリントとして得ることができる。
【０１３４】
また、ユーザ６は、落書き入力に失敗した画像等を印刷しないようにすることができる。ただし、もちろんこの形態に限定されるものではなく、ユーザ６がそれぞれ選択するのでなく、異なるユーザ６が一緒に印刷対象画像を選択する形態であってもよい。
【０１３５】
なお、ユーザ６によって入力された上記使用者の人数が、例えば「１人」であると、ＣＰＵ１０１ａは、上記印刷対象画像選択処理（Ｓ１０）において、上記印刷対象画像選択領域を上記タブレットディスプレイ１３に１つ表示させ、その印刷対象画像選択領域で選択操作を許容するようにしてもよい。
【０１３６】
図５に示すように、上記印刷対象画像選択処理（Ｓ１０）が終了すると、ＣＰＵ１０１ａは、ユーザ６が好みのシールレイアウトの選択を行なう印刷レイアウト選択処理を行なう（Ｓ１１）。印刷レイアウト選択処理では、キープ画像の枚数に応じて、予め決められた複数の印刷レイアウトで構成された印刷レイアウト選択画面（図１７）を表示し、上記複数の印刷レイアウトの中からユーザ６に対して好みの印刷レイアウトを選択させるようになっている。
【０１３７】
各印刷レイアウトでは、撮影画像印刷領域や余白領域が予め設定されている。なお、ユーザ６あるいはＣＰＵ１０１ａがこれらの領域の位置、大きさ、形状等を任意に設定できるようにしてもよい。また、それらの領域を印刷媒体３５の裏面や表面に設定できるようにしてもよい。これにより、ユーザ６は、写真プリントをデザインする自由度が増し、一層遊戯の面白みが高まる。
【０１３８】
図１７（Ａ）に示すように、印刷レイアウト選択画面は、複数のレイアウトを表示し、それらの中から好みのレイアウトをユーザ６に選択させるレイアウト選択領域９４ａ，９４ｂと、上記「決定」ボタン８２ａ，８２ｂとを含んで構成される。ここでは、複数のレイアウトは、それぞれユーザ６がそれぞれ選択したキープ画像の数にともない、好適な印刷レイアウトとなっていることが好ましい。
【０１３９】
図示では、上記使用者の人数が「２人」であるため、上記レイアウト選択領域や「決定」ボタンが２つずつ表示されている。ここでも、上述と同様に、異なる選択操作が許容される。
【０１４０】
なお、図１７（Ａ）では、分割数で表現してあるが、これに限定するものではなく、具体的なレイアウトを表示して提示してもよい。また、ＣＰＵ１０１ａは、この印刷レイアウト選択処理において、余白編集処理を行なってもよい。このようにすることにより、図１７（Ｂ）に示すように、写真プリント（印刷媒体３５）をハサミ等で切断したときに、不自然な切断面にならず、美しい印刷レイアウトになる。また、ユーザ６がそれぞれ所望の写真プリントを得ることができるため、ユーザ６の顧客満足が向上する。
【０１４１】
図５に示すように、上記印刷レイアウト選択処理（Ｓ１１）が終了すると、ＣＰＵ１０１ａは、印刷処理を行なう（Ｓ１２）。印刷処理では、選択されたレイアウトに基いてキープ画像と指示信号または／および編集対象であるキープ画像と落書き入力画像とを合成した合成画像と、上記落書き入力情報（図６のＳ２９）と、指示信号とをプリンタ１２に送信する。そして、プリンタ１２にキープ画像または／および合成画像と、上記第２落書き画像とを印刷媒体３５に印刷させる印刷制御を行なう。
【０１４２】
すなわち、プリンタ１２は、上記印刷対象画像選択処理（Ｓ１０）において選択された印刷対象画像を上記印刷媒体３５の撮影画像印刷領域２２１ａ，２２１ｂに印刷し、当該印刷媒体３５の余白領域２２３ａ，２２３ｂに上記第２落書き画像を印刷して写真プリントとして出力する。
【０１４３】
上記第２落書き画像が印刷される余白領域は、ユーザ６が印刷レイアウト選択処理において選択した所定の印刷レイアウトにおける撮影画像が印刷されない領域（部分）である。すなわち、上記余白領域は、選択された印刷レイアウトにおける撮影画像印刷領域に対しての余白領域である。このように、余白領域よりも撮影画像印刷領域が優先されるため、印刷される撮影画像の数が少なくなったり、その大きさが小さくなったりすることがない。これにより、撮影画像（第１落書き画像が合成された撮影画像を含む）が犠牲にされることがなく、ユーザ６がお絵描きを行なって撮影画像を得るという遊戯本来の遊戯性を維持しながら、余白編集に対する興趣を付加することができる。
【０１４４】
具体的には、プリンタ１２は、上記印刷対象画像選択処理（Ｓ１０）において印刷対象画像選択領域９２ａで選択された印刷対象画像を上記印刷媒体３５の撮影画像印刷領域２２１ａに印刷し、上記余白編集処理（図６）において余白編集領域９０ａに入力された第２落書き画像を当該印刷媒体３５の余白領域２２３ａに上記第２落書き画像を印刷して写真プリントとして出力するとともに、上記印刷対象画像選択処理（Ｓ１０）において印刷対象画像選択領域９２ｂで選択された印刷対象画像を上記印刷媒体３５の撮影画像印刷領域２２１ｂに印刷し、上記余白編集処理（図６）において余白編集領域９０ｂに入力された第２落書き画像を当該印刷媒体３５の余白領域２２３ｂに上記第２落書き画像を印刷して写真プリントとして出力する。
【０１４５】
また、ＣＰＵ１０１ａは、ユーザ６をプリンタ１２の前に誘導するアナウンス音声（例えば、「シールは左から出るよ！」）をスピーカ１５から出力するスピーカ制御、またはユーザ６をプリンタ１２の前に誘導する表示をタブレットディスプレイ１３に表示する表示を行なう。
【０１４６】
プリンタ１２は、ＣＰＵ１０１ａと独立して動作し、ＣＰＵ１０１ａの印刷制御により、キープ画像や合成画像をシール（写真プリント）として印刷し、その写真プリントをプリント取出口９から排出するシール排出処理を行なうようになっている。これにより、シールは、ユーザ６に提供される。
【０１４７】
印刷処理（Ｓ１２）を行なうと、Ｓ１に戻り、デモ画面をタブレットディスプレイ１３に表示して次のユーザ６の利用を待機する。以上の処理が、１組のユーザ６が本実施例の写真プリント提供装置で行なうプレイである。
【０１４８】
このように、本装置では、使用されるシート（印刷媒体）は予め１枚ずつシール片としてカットされていないシート（いわゆるノンプリカットのシート）であり、ユーザ６は上記第２落書き画像の入力により、このようなシートにおける撮影画像を印刷しない余白部分に対してデザイン、装飾を施すことができ、シート全体としてデザイン、装飾が施された写真プリントを得ることができる。また、ユーザ６は、撮影画像や編集画像を見ながら、上記余白部分に対して印刷する文字や画像等の第２落書き画像を入力することができるため、入力する第２落書き画像と、撮影画像や合成画像との調和を考慮し、より一層デザイン性に優れた写真プリントを得ることができる。さらに、ユーザ６は、上記のように余白編集を行なえることで楽しみながら遊戯を行なうことができるとともに、自分でシート全体をデザインした写真プリントを得ることができることで遊戯を終えた後においてもその写真プリントを部屋等に飾ったり、絵画のように鑑賞する楽しみを持つことができ、本装置に対する満足度が一層高まる。
【０１４９】
なお、上記余白編集処理（図６）を上記印刷レイアウト選択処理（Ｓ１１）において選択された印刷レイアウトに基いて上記印刷媒体の撮影画像印刷領域および余白領域を設定した後に実行し、上記余白編集処理において、ユーザ６に対して設定された余白領域に対して第２落書き画像を入力させてもよい。
【０１５０】
図１８は、上記印刷レイアウト選択処理（Ｓ１１）の後に、上記余白編集処理が行なわれている様子を示し、一部の画像を省略して示している。
【０１５１】
図示のように、余白編集レイアウト表示領域９３ａには、上記印刷レイアウト選択処理（Ｓ１１）で選択された印刷レイアウトが表示されている。ＣＰＵ１０１ａは、この余白編集処理において、ユーザ６に対してこの印刷レイアウトの余白編集領域９０ａに対して第２落書き画像をさらに入力させている。
【０１５２】
このように、印刷レイアウトが上記印刷レイアウト選択処理（Ｓ１１）で選択されているため、印刷媒体３５全体のバランスを考慮して印刷媒体３５をデザインすることができる。
【０１５３】
図１９に示すように、ユーザ６は、上記余白編集処理において、上記印刷レイアウト選択処理（Ｓ１１）で設定された余白領域に対して第２落書き画像を入力させることで、一層好みのデザインの印刷媒体３５を容易に得ることができる。
【０１５４】
また、上記余白編集処理（図６）では、上記編集処理（Ｓ９）で表示される落書き機能選択領域７１ａ，７１ｂを兼用し、上記余白領域２２３ａ，２２３ｂに第２落書き画像を入力できるようになっているが、上記落書き機能選択領域７１ａ，７１ｂに代えて、例えば、図２０（２）に示す文字入力領域２５５等を用いて、上記余白領域２２３ａ，２２３ｂに第２落書き画像を入力できるようにしてもよい。
【０１５５】
図２０および図２１を参照して、上記の場合の編集操作例について説明する。
【０１５６】
図２０（１）に示す編集画面では、ユーザ６が余白編集を行なうための「余白文字入力」ボタン２５１と、上記余白領域２２３ａに入力される第２落書き画像を表示するためのメッセージ表示領域２５３とを含んで表示される。
【０１５７】
ユーザ６が「余白文字入力」ボタン２５１を選択（タッチペンでタッチ）することで、図２０（２）に示すように、編集画面の右側に、ユーザ６が上記余白領域２２３ａに文字等の第２落書き画像を入力するための文字入力領域２５５が表示される。
【０１５８】
上記文字入力領域２５５は、五十音図で示される複数の文字「あ」〜「ん」や記号、カタカナ、漢字、空間（透明画像）等の第２落書き画像を含んで構成される文字選択領域２５７と、上記文字選択領域２５７の中から選択された第２落書き画像を表示する文字表示領域２５９と、ユーザ６が上記文字選択領域２５７の中から選択した第２落書き画像の入力内容を取り消して余白編集を終了するための「キャンセル」ボタン２６１と、ユーザ６が上記文字選択領域２５７の中から選択した第２落書き画像の入力内容で決定するための「決定」ボタン２６３とを含んで構成される。
【０１５９】
図２０（２）では、文字選択領域２５７の第２落書き画像の中から文字「な」，「か」，「よ」，「し」，「ふ」，「た」，「り」の順番にそれぞれタッチされ、上記文字入力領域２５５に表示されている様子を示している。ここで、「決定」ボタン２６３がタッチされると、図２１（３）に示すように、上記余白領域２２３ａに入力する第２落書き画像が入力された文字列で確定され、上記余白領域２２３ａに入力される第２落書き画像がメッセージ表示領域２５３に表示される。このように、ユーザ６が複数の第２落書き画像の中から好みの第２落書き画像を好みの入力態様（第２落書き画像の種類、その並びや文字列等のデザイン）で入力することで、図２１（４）に示すように、上記編集処理によって得られた撮影画像と第１落書き画像（図示していない）との合成画像が印刷媒体３５の撮影画像印刷領域２２１ａに印刷されるとともに、当該印刷媒体３５の余白領域２２３ａに文字入力領域２５５を用いて入力された第２落書き画像が上記入力態様で印刷され、写真プリントとして出力される。
【０１６０】
また、上記の例でも、前述と同様に、ＣＰＵ１０１ａは、ユーザ６の操作に基いて余白編集領域を区分し、上記複数の余白編集領域でそれぞれ異なる選択操作を許容し、ユーザ６に対してそれぞれの余白編集領域９０ａ，９０ｂに落書き画像を入力させ、それらに対応する余白領域に第２落書き画像が入力されるようになっている。
【０１６１】
なお、上記余白領域２２３ａのうち上記第２落書き画像が印刷される位置や方向等の印刷レイアウトは、予め定められていてもよいし、ユーザの操作に応じて変更されてもよい。
【０１６２】
なお、上述の実施例では、１組のユーザ６が利用する形態を説明したが、図１に示すように、撮影を行なう撮影空間３と撮影された画像に編集を行なう編集空間４とが異なる場所に設置されていることから、２組のユーザ６が同時に利用することもできる。この場合、先のユーザ６が撮影を終了し編集空間４に移動すると、タブレットディスプレイ２４にはデモ画像が表示され、次のユーザ６のコイン投入を受け付ける。そして、コインが投入されると、次のユーザ６の撮影が開始されるようにしてもよい。
【０１６３】
また、このように２組のユーザ６が同時に利用する場合に、撮影や編集等の操作を制御するコンピュータ装置１０１が１台では処理に負荷がかかってしまう場合もある。このため、撮影側の制御を行なうコンピュータ装置と編集側の操作を制御するコンピュータ装置とをそれぞれ設け、ユーザ６の操作性を向上させることもできる。この場合、図４に示す機能ブロック図において、カメラ２１、ライブモニタ２２等撮影にのみ必要なものは撮影側のコンピュータ装置に接続されて制御され、タブレットディスプレイ１３、プリンタ１２等編集にのみ必要なものは編集側のコンピュータ装置に接続されて制御されてもよい。また、制御部１０２、操作部（図示していない）、およびサービスパネル１０５等両方の操作に必要なものは、機能を分割して撮影側と編集側とのそれぞれのコンピュータ装置に接続されて制御されてもよいし、どちらか一方のコンピュータ装置に接続されて制御されてもよい。
【０１６４】
また、本装置においては、撮影空間３と編集空間４とを異なる位置に設けるように説明したが、これに限定されるものではなく、１つの空間において、撮影および編集が行なわれるようにしてもよい。
【０１６５】
また、本装置のコンピュータ装置の制御方法を、プログラムとして提供することもできる。このようなプログラムは、コンピュータに付属するフレキシブルディスク、ＣＤ−ＲＯＭ（Ｃｏｍｐａｃｔ  Ｄｉｓｃ−Ｒｅａｄ  Ｏｎｌｙ  Ｍｅｍｏｒｙ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびメモリカード等のコンピュータ読取り可能な記録媒体に記録させて、プログラム製品として提供することもできる。あるいは、コンピュータに内蔵するハードディスク等の記録媒体に記録させて、プログラムを提供することもできる。また、電気通信回線や衛星通信回線等のネットワークを通じて、プログラムを提供することもできる。提供されるプログラム製品は、ハードディスク等のプログラム格納部にインストールされて実行される。なお、プログラム製品は、プログラム自体と、プログラムが記録された記録媒体とを含む。
【０１６６】
上記実施例は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１６７】
【図１】本発明の写真プリント提供装置の外観を示す側面図である。
【図２】写真プリント提供装置の撮影側を示す斜視図である。
【図３】写真プリント提供装置の編集側を示す斜視図である。
【図４】写真プリント提供装置の機能ブロック図である。
【図５】コンピュータ装置の制御処理を示すフローチャートである。
【図６】余白編集処理を示すフローチャートである。
【図７】人数選択画面を示す図である。
【図８】キープ画像選択画面を示す図である。
【図９】キープ画像選択画面を示す図である。
【図１０】編集画面を示す図である。
【図１１】編集画面を示す図である。
【図１２】編集画面を示す図である。
【図１３】編集画面を示す図である。
【図１４】編集画面を示す図である。
【図１５】編集画面を示す図である。
【図１６】印刷対象画像選択画面を示す図である。
【図１７】印刷レイアウト選択画面を示す図である。
【図１８】印刷レイアウト選択後に余白編集が行なわれている様子を示す図である。
【図１９】余白編集が行なわれた印刷媒体を示す図である。
【図２０】余白編集の手順を示す図である。
【図２１】図２０に続く余白編集の手順を示す図である。
【符号の説明】
【０１６８】
１        筐体
３        撮影空間
４        編集空間
６        ユーザ
７Ｌ      タッチペン
７Ｒ      タッチペン
９        プリント取出口
１０      印刷中ＬＥＤ
１１      印刷エラーＬＥＤ
１２      プリンタ
１３      タブレットディスプレイ
１４Ｌ    タッチペン
１４Ｒ    タッチペン
１５      スピーカ
１８      照明ボックス
２１      カメラ
２２      ライブモニタ
２３Ｌ    スピーカ
２３Ｒ    スピーカ
２４      タブレットディスプレイ
２６      コイン投入口
２８      フロントドア
２９      電源スイッチ
３０      照明装置
３５      印刷媒体
７０ａ    落書き入力領域
７０ｂ    落書き入力領域
７１ａ    落書き機能選択領域
７１ｂ    落書き機能選択領域
８０ａ    「写真追加」ボタン
８０ｂ    「写真追加」ボタン
８１ａ    キープ画像選択領域
８１ｂ    キープ画像選択領域
８２ａ    「決定」ボタン
８２ｂ    「決定」ボタン
８４ａ    「余白編集」ボタン
８４ｂ    「余白編集」ボタン
８５      撮影画像群表示領域
８６ａ    キープ画像表示領域
８６ｂ    キープ画像表示領域
８９ａ    「方向変更」ボタン
８９ｂ    「方向変更」ボタン
９０ａ    余白編集領域
９０ｂ    余白編集領域
９１ａ    「写真編集」ボタン
９１ｂ    「写真編集」ボタン
９２ａ    印刷対象画像選択領域
９２ｂ    印刷対象画像選択領域
９３ａ    余白レイアウト表示領域
９３ｂ    余白レイアウト表示領域
９４ａ    レイアウト選択領域
９４ｂ    レイアウト選択領域
９５ａ    撮影画像表示領域
９５ｂ    撮影画像表示領域
１０１    コンピュータ装置
１０１ａ  ＣＰＵ
１０１ｂ  メモリ
１０１ｃ  ドライバ
１０１ｄ  記憶装置
１０１ｅ  通信部
１０２    制御部
１０３    電源制御部
１０４    ＵＰＳ
１０５    サービスパネル
１０７    コイン制御部
１１３    フラッシュ制御部
１１５    フラッシュ
２２１ａ  撮影画像印刷領域
２２１ｂ  撮影画像印刷領域
２２３ａ  余白領域
２２３ｂ  余白領域
２５５    文字入力領域
２５１    「余白文字入力」ボタン
２５３    メッセージ表示領域
２５７    文字選択領域
２５９    文字表示領域
２６１    「キャンセル」ボタン
２６３    「決定」ボタン
【図１】
2005176207.tif 000003
【図２】
2005176207.tif 000004
【図３】
2005176207.tif 000005
【図４】
2005176207.tif 000006
【図５】
2005176207.tif 000007
【図６】
2005176207.tif 000008
【図７】
2005176207.tif 000009
【図８】
2005176207.tif 000010
【図９】
2005176207.tif 000011
【図１０】
2005176207.tif 000012
【図１１】
2005176207.tif 000013
【図１２】
2005176207.tif 000014
【図１３】
2005176207.tif 000015
【図１４】
2005176207.tif 000016
【図１５】
2005176207.tif 000017
【図１６】
2005176207.tif 000018
【図１７】
2005176207.tif 000019
【図１８】
2005176207.tif 000020
【図１９】
2005176207.tif 000021
【図２０】
2005176207.tif 000022
【図２１】
2005176207.tif 000023